(57)【特許請求の範囲】
【請求項１】
鏡筒及びレンズ群を備え、前記鏡筒は、光通過孔を有する天壁と、前記天壁の周縁から折り曲げられて延びる筒壁とを含み、前記天壁は前記筒壁に接続されてキャビティを取り囲んで形成し、前記レンズ群は前記キャビティ内に収容されているレンズモジュールであって、
前記レンズ群は、１つの異形レンズ、前記異形レンズの物体側に当接するレンズ、及び前記異形レンズの像側に当接するレンズを含み、前記異形レンズは、前記異形レンズの物体側に当接するレンズからの光軸に平行な下向きの圧力及び前記異形レンズの像側に当接するレンズからの光軸に平行な上向きの圧力を受け、且つこの２つの圧力が同一直線上になく、
前記異形レンズは物体側の面及び像側の面を接続する側面を含み、前記側面は前記物体側の面に接続される第１当接面を含み、前記第１当接面は光軸に対して夾角をなすように設けられており、
前記筒壁は前記光軸に近い内面を含み、前記内面は前記第１当接面に対向して且つ平行に設置された第２当接面を含み、前記第１当接面と前記第２当接面との間の距離は０μｍより大きく且つ３μｍ以下であることを特徴とするレンズモジュール。
【請求項２】
前記内面は、前記第２当接面に接続される位置規制面をさらに含み、前記位置規制面は前記第２当接面の物体側に位置し、前記位置規制面と前記光軸との夾角は前記第２当接面と前記光軸との夾角よりも大きいことを特徴とする請求項１に記載のレンズモジュール。
【請求項３】
前記第１当接面と前記光軸との夾角は４５°であることを特徴とする請求項１に記載のレンズモジュール。
【請求項４】
前記側面は接続面をさらに含み、前記接続面は前記第１当接面と前記異形レンズの像側の面を接続し、前記接続面と前記光軸との夾角は前記第１当接面と前記光軸との夾角よりも小さいことを特徴とする請求項１に記載のレンズモジュール。
【請求項５】
前記筒壁は前記内面に対向して設置された外面をさらに含み、前記外面は前記第２当接面に対向して設置された移行面を含むことを特徴とする請求項１に記載のレンズモジュール。
【請求項６】
前記レンズ群は４枚又は５枚のレンズを含み、前記異形レンズは物体側から像側への第３レンズであることを特徴とする請求項１乃至５のいずれか一項に記載のレンズモジュール。
【請求項７】
前記レンズ群は６枚のレンズを含み、前記異形レンズは物体側から像側への第４レンズであることを特徴とする請求項１乃至５のいずれか一項に記載のレンズモジュール。
【請求項８】
押えリングをさらに備え、前記押えリングは前記キャビティ内に位置し、前記押えリングと前記内面との間に接着剤溝が設けられており、前記押えリングと前記筒壁を接続するように、前記接着剤溝に接着剤が充填されていることを特徴とする請求項１に記載のレンズモジュール。
【発明の詳細な説明】
【技術分野】
【０００１】
本発明は、光学結像の技術分野に関し、特にレンズモジュールに関する。
【背景技術】
【０００２】
科学技術の絶え間ない発展に伴い、電子機器は絶え間なくスマート化へ発展しつつある。デジタルカメラの以外、タブレットＰＣ、携帯電話等の携帯型の電子機器にも撮影機能を有するレンズモジュールが配置されている。レンズモジュールの設計は常にこのような製品の結像品質の鍵である。
【０００３】
従来のレンズモジュールは、一般的に、鏡筒と、鏡筒内に設置されたレンズ群と、レンズ群を鏡筒内に固定するための押えリングとを備える。押えリングは接着剤を塗布することにより鏡筒に固定され、且つレンズ群に当接することで、レンズ群を鏡筒内に固定する。レンズ群におけるレンズは物体側の面と像側の面のいずれにも力を受け、且つ両面の力が同一直線上にないため、トルクを発生させ、レンズを変形させてしまい、変形量は１０−１５μｍにも達することか可能であり、レンズモジュールの全体的な安定性を低下させ、レンズモジュールの結像品質を低下させてしまう。
【０００４】
従って、新たなレンズモジュールを提供する必要がある。
【発明の概要】
【発明が解決しようとする課題】
【０００５】
本発明は、従来のレンズモジュールのレンズの変形が深刻であるという問題を解決するためのレンズモジュールを提供することを目的とする。
【課題を解決するための手段】
【０００６】
本発明の技術考案は下記の通りである。
【０００７】
レンズモジュールは、鏡筒及びレンズ群を備え、前記鏡筒は、光通過孔を有する天壁と、前記天壁の周縁から折り曲げられて延びる筒壁とを含み、前記天壁は前記筒壁に接続されてキャビティを取り囲んで形成し、前記レンズ群は前記キャビティ内に収容されており、前記レンズ群は１つの異形レンズを含み、前記異形レンズは物体側の面及び像側の面を接続する側面を含み、前記側面は前記物体側の面に接続される第１当接面を含み、前記第１当接面は光軸に対して夾角をなすように設けられており、前記筒壁は前記光軸に近い内面を含み、前記内面は前記第１当接面に対向して且つ平行に設置された第２当接面を含み、前記第１当接面と前記第２当接面との間の距離は０μｍより大きく且つ３μｍ以下である。
【０００８】
好ましくは、前記内面は、前記第２当接面に接続される位置規制面をさらに含み、前記位置規制面は前記第２当接面の物体側に位置し、前記位置規制面と前記光軸との夾角は前記第２当接面と前記光軸との夾角よりも大きい。
【０００９】
好ましくは、前記第１当接面と前記光軸との夾角は４５°である。
【００１０】
好ましくは、前記側面は接続面をさらに含み、前記接続面は前記第１当接面と前記異形レンズの像側の面を接続し、前記接続面と前記光軸との夾角は前記第１当接面と前記光軸との夾角よりも小さい。
【００１１】
好ましくは、前記筒壁は前記内面に対向して設置された外面をさらに含み、前記外面は前記第２当接面に対向して設置された移行面を含む。
【００１２】
好ましくは、前記レンズ群は４枚又は５枚のレンズを含み、前記異形レンズは物体側から像側への第３レンズである。
【００１３】
好ましくは、前記レンズ群は６枚のレンズを含み、前記異形レンズは物体側から像側への第４レンズである。
【００１４】
好ましくは、押えリングをさらに備え、前記押えリングは前記キャビティ内に位置し、前記押えリングと前記内面との間に接着剤溝が設けられており、前記押えリングと前記筒壁を接続するように、前記接着剤溝に接着剤が充填されている。
【発明の効果】
【００１５】
本発明の有益な効果は下記の通りである。
【００１６】
上記のレンズモジュールでは、レンズの側面は光軸に対して夾角をなすように設けられている第１当接面を含み、筒壁の内面は第１当接面に対向して且つ平行に設置された第２当接面を含み、第１当接面と第２当接面との間の距離は０μｍより大きく且つ３μｍ以下である。レンズが力を受けて変形する場合、変形量が第１当接面と第２当接面との間の距離を超えると、第１当接面は第２当接面に当接し、レンズの更なる変形を抑制し、レンズモジュールの安定性を向上させ、レンズモジュールの結像品質を確保する。
【図面の簡単な説明】
【００１７】
【図１】図１は、本発明の１つの実施例に提供されたレンズモジュールの断面図である。
【図２】図２は、図１における鏡筒の構成模式図である。
【図３】図３は、図１における第４レンズの構成模式図である。
【図４】図４は、図１におけるＡ部分の拡大図である。
【符号の説明】
【００１８】
１…鏡筒、１１…天壁、１１１…光通過孔、１２…筒壁、１２１…内面、１２１１…第２当接面、１２１２…位置規制面、１２２…外面、１２２１…移行面、２…レンズ群、２１…第１レンズ、２２…第２レンズ、２３…第３レンズ、２４…第４レンズ、２４１…側面、２４１１…第１当接面、２４１２…接続面、２４２…物体側の面、２４３…像側の面、２５…第５レンズ、２６…第６レンズ、３…遮光シート、４…遮光板、５…押えリング、６…接着剤溝。
【発明を実施するための形態】
【００１９】
以下、図面及び実施形態を組み合わせて本発明をさらに説明する。
【００２０】
図１及び図２を参照すると、本発明の１つの実施例には、レンズモジュールが開示され、当該レンズモジュールは、鏡筒１、レンズ群２、遮光シート３、遮光板４及び押えリング５を備える。
【００２１】
鏡筒１は、光通過孔１１１を有する天壁１１と、天壁１１の周縁から折り曲げられて延びる筒壁１２とを含み、天壁１１は筒壁１２に接続されてキャビティを取り囲んで形成し、筒壁１２は光軸ＯＯ’に近い内面１２１を含む。
【００２２】
本実施例では、レンズ群２は６枚のレンズを含み、具体的に、それぞれ物体側から像側へ順次にキャビティ内に収容された第１レンズ２１、第２レンズ２２、第３レンズ２３、第４レンズ２４、第５レンズ２５及び第６レンズ２６である。遮光板４は第５レンズ２５と第６レンズ２６との間に挟まれており、遮光シート３は隣接する２枚のレンズの間、又は遮光板４及び遮光板４と隣接するレンズの間に挟まれており、押えリング５と内面１２１との間に接着剤溝６が設けられており、押えリング５と筒壁１２を接続するように、接着剤溝６に接着剤を充填することが可能である。
【００２３】
図３及び図４を合わせて参照すると、第４レンズ２４は異形レンズであり、物体側の面２４２、像側の面２４３及び物体側の面２４２と像側の面２４３を接続する側面２４１を含む。側面２４１は第１当接面２４１１を含み、第１当接面２４１１は光軸００’に対して夾角をなすように設けられており、即ち第１当接面２４１１と光軸００’との夾角は０°より大きく且つ９０°以下である。内面１２１は第１当接面２４１１に対向して設置された第２当接面１２１１を含み、第２当接面１２１１は第１当接面２４１１に平行しており、第１当接面２４１１と第２当接面１２１１との間の距離Ｈは０μｍより大きく且つ３μｍ以下である。
【００２４】
第４レンズがその物体側に当接する第３レンズからの光軸００’に平行な下向きの圧力、及びその像側に当接する第５レンズ２５からの光軸００’に平行な上向きの圧力を受ける場合、２つの圧力は同一直線上にないため、第４レンズ２４に作用するとトルクを発生させて、第４レンズ２４に変形を生じさせてしまう。
【００２５】
第１当接面２４１１と第２当接面１２１１との間の距離Ｈが３μｍ以下であるため、第４レンズ２４の変形量が第１当接面２４１１と第２当接面１２１１との間の距離Ｈに達すると、第１当接面２４１１は第２当接面１２１１に当接し、筒壁１２は第４レンズ２４の更なる変形を抑制し、レンズモジュールの安定性を向上させ、結像品質を確保する。
【００２６】
さらに、内面１２１は、第２当接面１２１１に接続される位置規制面１２１２をさらに含み、位置規制面１２１２は第２当接面１２１１の物体側に位置し、位置規制面１２１２と光軸００’との夾角は第２当接面１２１１と光軸００’との夾角よりも大きい。
【００２７】
第４レンズ２４が変形する場合、位置規制面１２１２は第４レンズ２４の第２当接面１２１１に平行な方向への移動を規制し、それにより、第２当接面１２１１と共に第４レンズ２４に変形が生じることを抑制する。
【００２８】
第１当接面２４１１と光軸００’との夾角は４５°であることがより好ましい。これにより、第２当接面１２１１が第１当接面２４１１に当接する場合、大きな抵抗力を発生させて第４レンズ２４の更なる変形を抑制する。
【００２９】
さらに、側面２４１は接続面２４１２をさらに含み、接続面２４１２は第１当接面２４１１と像側の面２４３を接続し、接続面２４１２と光軸００’との夾角は第１当接面２４１１と光軸００’との夾角よりも小さい。即ち、第１当接面２４１１は接続面２４１２を介して間接的に像側の面２４３に接続されており、これによって、第４レンズ２４が変形する時に、側面２４１は第１当接面２４１１のみが内面１２１と接触する。加工する場合、第１当接面２４１１と第２当接面１２１１との間の距離Ｈをさらに正確に制御するために、第１当接面２４１１及び第２当接面１２１１の加工精度のみを確保すればよい。換言すれば、製造コストを低減すると共に、第１当接面２４１１と第２当接面１２１１との間の距離の精確性を確保する。他の実施例では、第１当接面２４１１は直接的に像側の面２４３に接続されてもよい。
【００３０】
選択できるように、図２に示されるように、筒壁１２は内面１２１に対向して設置された外面１２２をさらに含み、外面１２２は第２当接面１２１１に対向して設置された移行面１２２１を含む。これにより、筒壁１２の肉厚がより均一になり、成形がより安定になり、レンズモジュールの全体的な性能の向上に有利である。
【００３１】
なお、本実施例では、レンズ群２は６枚のレンズを含み、第４レンズ２４は、異形レンズであり、第１当接面２４１１が設けられている。他の実施例では、レンズ群２は４枚又は５枚のレンズを含んでもよく、この場合、第３レンズ２３は、異形レンズであり、第１当接面２４１１が設けられている。
【００３２】
以上は本発明の実施形態に過ぎない。当業者であれば、本発明の創造的構想から逸脱しない限り、改良を行うことができるが、これらの改良はいずれも本発明の保護範囲に含まれるとここで指摘すべきである。
【図１】
0006900559.tif 000002
【図２】
0006900559.tif 000003
【図３】
0006900559.tif 000004
【図４】
0006900559.tif 000005